(57)【特許請求の範囲】
【請求項１】
パネル表面層とパネル裏面層との間に、パネル長さ方向に貫通する多数の中空部がパネルの幅方向及び厚さ方向に複数形成された合成樹脂製の中空パネルであって、侵入防止用条材が、人の侵入を阻止するに足る相互間隔をあけて、上記パネル厚さ方向中間部の中空部の幾つか又は全てに挿通され、各条材の両端が、中空パネルの長さ方向両端に添設された端板に固定されていることを特徴とする防犯用中空パネル。
【請求項２】
侵入防止用条材が、金属、カーボン繊維、強化繊維のいずれかより成る棒、管、線、ロープ、紐、テープ又は鎖であることを特徴とする請求項１に記載の防犯用中空パネル。
【請求項３】
中空部の幾つか又は全てに挿通された侵入防止用条材のうち、少なくとも両側端に位置する条材が金属、カーボン繊維のいずれかより成る剛性を備えた棒又は管であることを特徴とする請求項１に記載の防犯用中空パネル。
【請求項４】
中空パネルの長さ方向両端に、金属テープが端板を覆うように貼着されていることを特徴とする請求項１ないし請求項３のいずれかに記載の防犯用中空パネル。
【請求項５】
中空パネルの一側端に接続用凸条が形成され、他側端に接続用凹条が形成されていることを特徴とする請求項１ないし請求項４のいずれかに記載の防犯用中空パネル。
【発明の詳細な説明】
【技術分野】
【０００１】
本発明は防犯用中空パネルに関し、更に詳しくは、合成樹脂製の中空パネルが破壊されるようなことがあっても、人の侵入を阻止することができる防犯用中空パネルに関する。
【背景技術】
【０００２】
近年、採光用壁材として、合成樹脂を押出成形して製造した透光性の中空パネルが使用されるようになってきた。この中空パネルは、パネル表面層とパネル裏面層との間に、パネル長さ方向に貫通する多数の中空部を形成したものであって、採光性に優れているにもかかわらず隠蔽性（透視困難性）があり、実用的な荷重たわみ強度を備え、軽量で取扱いが容易である等の利点を有するため、今後ますます需要が増大するものと予測される。
【０００３】
一方、採光用窓材、屋根材、壁材等として、中空部を有する樹脂製シートの該中空部に電熱線を挿入配線することにより、融雪、防曇、保温等の機能を発揮できるようにしたものが提案されている（特許文献１）。
【特許文献１】実用新案登録第３０２９６３８号公報
【発明の開示】
【発明が解決しようとする課題】
【０００４】
しかしながら、採光用壁材として使用される前記の中空パネルは、パネル表面層やパネル裏面層が薄く、刃物で比較的簡単に切り裂かれたり、バーナーやトーチで加熱すると軟化溶融して穴があくなど、破壊されやすいため、故意に中空パネルを破壊して人が侵入する恐れがあり、防犯性に劣るという問題があった。このような問題は、特許文献１のように樹脂製シートの中空部に電熱線を挿入配線したものでは、解決することが困難である。
【０００５】
本発明は上記事情の下になされたもので、その解決しようとする課題は、合成樹脂製の中空パネルが破壊されるようなことがあっても、人の侵入を阻止できる防犯用中空パネルを提供することにある。
【課題を解決するための手段】
【０００６】
上記課題を解決するため、本発明に係る防犯用中空パネルは、パネル表面層とパネル裏面層との間に、パネル長さ方向に貫通する多数の中空部がパネルの幅方向及び厚さ方向に複数形成された合成樹脂製の中空パネルであって、侵入防止用条材が、人の侵入を阻止するに足る相互間隔をあけて、上記パネル厚さ方向中間部の中空部の幾つか又は全てに挿通され、各条材の両端が、中空パネルの長さ方向両端に添設された端板に固定されていることを特徴とするものである。
【０００７】
本発明の防犯用中空パネルにおいては、侵入防止用条材が、金属、カーボン繊維、強化繊維のいずれかより成る棒、管、線、ロープ、紐、テープ又は鎖であることが望ましく、特に、中空部の幾つか又は全てに挿通された侵入防止用条材のうち、少なくとも両側端に位置する条材は金属、カーボン繊維のいずれかより成る剛性を備えた棒又は管であることが望ましい。
【０００８】
そして、中空パネルの長さ方向両端に、金属テープが端板を覆うように貼着されていることが望ましく、また、中空パネルの一側端に接続用凸条が形成され、他側端に接続用凹条が形成されていることも望ましい。
【発明の効果】
【０００９】
本発明の防犯用中空パネルのように、侵入防止用条材が、人の侵入を阻止するに足る相互間隔をあけて、中空パネルのパネル厚さ方向中間部の中空部の幾つか又は全てに挿通され、各条材の両端が、中空パネルの長さ方向両端に添設された端板に固定されていると、各条材と両端板によって頑丈な格子体が形成されることになるため、たとえ中空パネルが刃物やバーナー等で破壊されたとしても、格子体を構成する侵入防止用条材によって人の侵入を阻止することが可能となり、窃盗その他の犯罪を防止できるようになる。
【００１０】
侵入防止用条材としては前記のごとき強度のある各種の条材を使用できるが、少なくとも両側端に位置する条材として金属、カーボン繊維のいずれかより成る剛性を備えた棒又は管を使用した場合は、この両側端の条材と中空パネル両端の端板によって頑丈な枠体が形成されることになるので、中間に位置する条材として前記の金属、カーボン繊維、強化繊維のいずれかより成る線、ロープ、紐、テープ、鎖などの引張力に優れた細くて軽い条材を用いて、人の侵入を阻止する格子体を形成し、中空パネルの重量の増加や採光性の低下を抑えることが可能となる。
【００１１】
また、中空パネルの長さ方向両端に金属テープが端板を覆うように貼着されていると、この金属テープによって中空パネルの中空部の両端開口が気密的に閉塞されて断熱作用が発揮されるため、室内の保温効果や結露防止効果が奏されるようになる。
【００１２】
そして、中空パネルの一側端に接続用凸条が形成され、他側端に接続用凹条が形成されていると、一側端の接続用凸条を、隣接する中空パネルの他側端の接続用凹条に嵌合するだけで、簡単に中空パネル同士を接続することが可能となる。
【発明を実施するための最良の形態】
【００１３】
以下、図面を参照して本発明の具体的な実施形態を詳述する。
【００１４】
図１は本発明の一実施形態に係る防犯用中空パネルを、その長さ方向両端の金属テープを分解して示す斜視図、図２は図１のＡ−Ａ線横断面図、図３は図１のＢ−Ｂ線部分縦断面図、図４は同防犯用中空パネルの接続状態を示す部分横断面図である。
【００１５】
この防犯用中空パネル１は、淡く着色した透光性樹脂を押出成形したものであって、図２に示すように、パネル表面層１ａとパネル裏面層１ｂとの間に多数の縦、横、斜めの隔壁部１ｃ，１ｄ，１ｅを設けたハニカム構造の中空パネルとされており、これらの隔壁部１ｃ，１ｄ，１ｅによって、パネル長さ方向に貫通する多数の中空部２がパネル表面層１ａとパネル裏面層１ｂとの間に形成されている。中空パネル１のサイズは特に限定されないが、この実施形態では、採光用の窓材、壁材、扉材などの用途に適合するように、パネルの厚さ（パネル表面層１ａからパネル裏面層１ｂまでの寸法）が４０ｍｍ程度、パネルの幅が５００ｍｍ程度、縦の隔壁部１ｃの相互間隔が４０ｍｍ程度の中空パネル１を使用している。なお、この中空パネル１は、施工現場に対応した種々の長さに切断される。このように縦，横，斜めの隔壁部１ｃ，１ｄ，１ｅをパネル表面層１ａとパネル裏面層１ｂとの間に多数設けたハニカム構造の中空パネル１は、軽量であるにもかかわらず実用的な荷重たわみ強度を備え、採光性が良好であるにもかかわらず、淡く着色されていることと相俟って充分な隠蔽性を発揮する。
【００１６】
中空パネル１の材料樹脂としては、ポリ塩化ビニル、ポリアクリル、ポリオレフィン、ポリエステルなどの熱可塑性の各種の樹脂を使用できるが、その中でもポリエステルの一種であるポリカーボネートが特に好ましく使用される。ポリカーボネートは強度、成形性、価格などのバランスが良く、高品質の中空パネルを比較的安価に製造できるからである。このようなポリカーボネート製の中空パネルには、紫外線吸収剤や光安定剤を含有させて耐候性を高めることが好ましい。
【００１７】
この中空パネル１の一側端には、略楕円環状の横断面を有する中空の接続用凸条１ｆがパネル全長に亘って形成されており、これに対応して、中空パネル１の他側端には、接続用凸条１ｆを嵌合させる略楕円開環状の接続用凹条１ｇがパネル全長に亘って形成されている。従って、図４に示すように中空パネル１の一側端の接続用凸条１ｆを、隣接する中空パネル１の他側端の接続用凹条１ｇに嵌合させるだけで、簡単に中空パネル１，１同士を幅方向に接続できるようになっている。
【００１８】
尚、この中空パネル１の両側端には小溝１ｈ，１ｈがパネル全長に亘って形成されているが、この小溝１ｈ，１ｈは、例えば、図４に仮想線で示す取付金具１０１を用いて中空パネル１を胴縁１０２に取付けて壁体を構築するような場合に、取付金具１０１の先端を挿入、係止させるものである。
【００１９】
この防犯用中空パネル１の大きい特徴は、複数本の侵入防止用条材３を、人の侵入を阻止するに足る相互間隔をあけて幾つかの中空部２（２ａ）に挿通し、各条材３の両端を、中空パネル１の長さ方向両端に添設された端板４に固定した点にある。
【００２０】
即ち、この実施形態の防犯用中空パネル１では、図２に示すように、剛性が大きい高強度の金属製（例えば鉄製）の丸棒からなる複数本（５本）の侵入防止用条材３を、その相互間隔が人の侵入を阻止するに足る８０ｍｍ程度となるように、中空パネル１の横の隔壁１ｄと斜めの隔壁１ｅとで囲まれるパネル厚さ方向中間部の横長六角形状（横寸法４０ｍｍ程度）の中空部２（２ａ）に一つ飛びに挿通し、図１，図３に示すように、各条材３の両端を、中空パネル１の長さ方向両端に添設された金属製の矩形の端板４にビス５で固定している。このようにすると、金属製の丸棒からなる各条材３と両端の金属製の矩形端板４によって頑丈な金属製の格子体が形成されることになるため、たとえ透光性樹脂よりなる中空パネル１が刃物やバーナー等で破壊されたとしても、格子体を構成する相互間隔が８０ｍｍ程度の侵入防止用条材３によって人の侵入を確実に阻止し、窃盗その他の犯罪を防止することができる。
【００２１】
侵入防止用条材３の相互間隔は、人の侵入を阻止するに足る間隔とすることが必須であるから、最大でも１７０ｍｍ程度以下とする必要があり、中でも１００ｍｍ程度以下の相互間隔とするのが好ましい。そのため、この実施形態の防犯用中空パネル１では、上記のように侵入防止用条材３を中空部２（２ａ）に一つ飛びに挿通して各条材の相互間隔を８０ｍｍ程度にしているが、場合によっては、侵入防止用条材３を中空部２（２ａ）に三つ飛びに挿通して相互間隔を１６０ｍｍ程度にしたり、二つ飛びに挿通して相互間隔を１２０ｍｍ程度にしてもよい。また、侵入防止用条材３を中空部２（２ａ）の全てに挿通して相互間隔を４０ｍｍ程度にしてもよいが、その場合には侵入防止用条材３の本数が多くなり，防犯用中空パネル１の全体の重量が増して持運びや取扱いがし辛くなると共に、採光性が低下するので好ましくない。
【００２２】
侵入防止用条材３として、上記の金属製の丸棒を使用する場合は、直径が５〜２０ｍｍ程度のものを使用することが好ましい。５ｍｍより細い丸棒を使用すると、丸棒を曲げて相互間隔を拡げて侵入する可能性があり、２０ｍｍより太い丸棒を使用すると、防犯用中空パネル１の重量が増して持運びや取扱いがし辛くなる。金属製の丸棒の最も好ましい直径は１０ｍｍ程度である。
【００２３】
侵入防止用条材３としては、金属、カーボン繊維、強化繊維のいずれかより成る棒（丸棒、角棒など）、管（丸管、角管など）、線（単線、撚線など）、ロープ、紐、テープ又は鎖などが使用可能であり、棒や管の場合は、直径（外径）又は一辺の長さが５〜２０ｍｍ程度、好ましくは１０ｍｍ程度のものが使用される。特に、侵入防止用条材３のうち少なくとも両側端に位置する条材は、金属、カーボン繊維のいずれかより成る剛性を備えた棒又は管を使用することが好ましく、その場合には、両側端の剛性のある条材３と中空パネル両端の端板４によって頑丈な枠体が形成されることになるので、中間に位置する条材３として上記の金属、カーボン繊維、強化繊維のいずれかより成る線、ロープ、紐、テープ、鎖などの引張力に優れた細くて軽い条材を用いて、人の侵入を阻止する格子体を形成し、防犯用中空パネル１全体の重量の増加や採光性の低下を抑えることができる利点がある。
【００２４】
この防犯用中空パネル１の長さ方向両端には、図１，図３に示すように、アルミニウムテープ等の金属テープ６が端板４を覆うように貼着されており、このようにすると、中空パネル１の中空部２の両端開口が金属テープ６によって気密的に閉塞されて断熱作用が発揮されるため、室内の保温効果や結露防止効果が奏される利点がある。
【００２５】
この実施形態では、中空パネル１として、パネル表面層１ａとパネル裏面層１ｂとの間に縦、横、斜めの隔壁部１ｃ，１ｄ，１ｅを設けたハニカム構造の中空パネルを使用しているが、これに限定されるものではなく、例えば、パネル表面層とパネル裏面層との間に多数の縦リブを平行に設けて、パネル長さ方向に貫通する多数の中空部を形成した中空パネルなどを使用しても勿論よい。
【００２６】
また、中空部２に差し込む侵入防止用条材３が、中空部２を取り囲む縦、横、斜め隔壁部１ｃ，１ｄ，１ｅ、パネル表面層１ａ、パネル裏面層１ｅなどと接触するように構成してもよく、そのように構成すると、中空パネル１が振動したときに侵入防止用条材３と接触して発生する耳障りな接触音を防止できる利点がある。
【００２７】
以上のような本発明の防犯用中空パネル１は、その周囲に金属フレームが取付けられ、或いは、幅方向に複数枚接続されてその周囲に金属フレームが取付けられ、採光用の窓、壁、扉などの用途に用いられる。そして、透光性樹脂からなる中空パネル１が刃物やバーナー等で破壊されるようなことがあったとしても、中空部２（２ａ）に挿通された侵入防止用条材３によって人の侵入を阻止できるので、窃盗その他の犯罪を防止することができる。
【００２８】
尚、防犯用中空パネル１の周囲に上記の金属フレームを取付ける場合は、中空パネル１の長さ方向両端の端板４や金属テープ６を省略して、侵入防止用条材３の両端を金属フレームに直接固定するように構成してもよい。
【図面の簡単な説明】
【００２９】
【図１】本発明の一実施形態に係る防犯用中空パネルを、その長さ方向両端の金属テープを分解して示す斜視図である。
【図２】図１のＡ−Ａ線横断面図である。
【図３】図１のＢ−Ｂ線部分縦断面図である。
【図４】同防犯用中空パネルの接続状態を示す部分横断面図である。
【符号の説明】
【００３０】
１    防犯用中空パネル
１ａ  パネル表面層
１ｂ  パネル裏面層
１ｃ  縦の隔壁部
１ｄ  横の隔壁部
１ｅ  斜めの隔壁部
１ｆ  接続用凸条
１ｇ  接続用凹条
２，２ａ  中空部
３    侵入防止用条材
４    端板
６    金属テープ
【図１】
0005128208.tif 000002
【図２】
0005128208.tif 000003
【図３】
0005128208.tif 000004
【図４】
0005128208.tif 000005